(57)【要約】  移動端末が現在通信していないデータのみのネットワーク（例えば、ｃｄｍａ２０００  １Ｘ−ＥＶＤＯ）のようなネットワークが、移動端末が音声及びデータネットワーク（例えば、ｃｄｍａ２０００  １Ｘ）のような別のネットワークを経てアクティブに通信し且つページングメッセージの監視を停止している場合でも、そのネットワークが移動端末との通信の確立を希望することを移動端末に通知するのを許すためのシステム及び方法が提供される。したがって、移動端末は、それが既に通信しているネットワークとの通信を終了し、ページングメッセージを送信した他のネットワークとの通信を開始することができる。例えば、移動端末は、データのみのネットワークが移動端末との通信セッションの確立を希望するという通知を受け取った際に、データのみのネットワークを経てＭＭＳメッセージを受信するために、音声及びデータネットワークを経ての音声通信を終了することができる。【選択図】図９
2008532352.tif 000002
【特許請求の範囲】
【請求項１】
或るスロットにおいて少なくとも１つのハイブリッド移動端末及び少なくとも１つの非ハイブリッド移動端末と通信することが可能なエージェントを具備するネットワークであって、
前記エージェントは、ターゲットネットワークが選択されたハイブリッド移動端末との通信を希望していることを示すページ指示を、該ターゲットネットワークから受信することが可能であり、
前記エージェントは、さらに、前記少なくとも１つのハイブリッド移動端末及び前記少なくとも１つの非ハイブリッド移動端末に対して一連のメッセージを発行することが可能であり、
前記一連のメッセージが、
第１のメッセージであって、該第１のメッセージの予め規定されたフィールドが所定の値に設定されている場合に、前記少なくとも１つの非ハイブリッド移動端末に対して前記或るスロットの監視を中止するよう指示するための第１のメッセージと、
前記選択されたハイブリッド移動端末に対して前記ページ指示を示すデータバーストメッセージを含む第２のメッセージと、
を含む、
ことを特徴とするネットワーク。
【請求項２】
前記一連のメッセージが、さらに、前記ハイブリッド移動端末のうちの残りの移動端末に対して前記或るスロットの監視を中止するよう指示するための第３のメッセージを含む、請求項１に記載のネットワーク。
【請求項３】
前記データバーストメッセージが前記ページ指示を示す予め規定されたコードを含む、請求項１に記載のネットワーク。
【請求項４】
前記選択されたハイブリッド移動端末が、前記データバーストメッセージに応答して当該ネットワークから前記ターゲットネットワークに切り替えることが可能である、請求項１に記載のネットワーク。
【請求項５】
前記エージェントが、さらに前記ターゲットネットワークからネットワーク及びサービス利用性情報を受信することが可能である、請求項１に記載のネットワーク。
【請求項６】
前記少なくとも１つのハイブリッド移動端末は、前記一連のメッセージにおける前記第１のメッセージの前記予め規定されたフィールドが前記所定の値以外の値に設定されている場合に前記或るスロットの監視を中止する、請求項１に記載のネットワーク。
【請求項７】
アンカーネットワークと通信しつつ或るスロットを監視し、ターゲットネットワークと通信することが可能であり、コントローラを具備する移動端末であって、
該コントローラが、前記アンカーネットワークから一連のメッセージを受信することが可能であり、
該一連のメッセージが、
第１のメッセージであって、該第１のメッセージの予め規定されたフィールドが所定の値に設定されている場合に、前記アンカーネットワークと通信する非ハイブリッド移動端末に対して前記或るスロットの監視を中止するよう指示するための第１のメッセージと、
前記ターゲットネットワークが前記移動端末との通信を希望していることを示すページ指示を、該移動端末に対して示すデータバーストメッセージを含む、第２のメッセージと、を含む、
ことを特徴とする移動端末。
【請求項８】
前記データバーストメッセージが前記ページ指示を示す予め規定されたコードを含む、請求項７に記載の移動端末。
【請求項９】
前記データバーストメッセージに応答して前記アンカーネットワークから前記ターゲットネットワークに切り替えることが可能である、請求項７に記載の移動端末。
【請求項１０】
前記一連のメッセージにおける前記第１のメッセージの前記予め規定されたフィールドが前記所定の値以外の値に設定されている場合に前記或るスロットの監視を中止する、請求項７に記載の移動端末。
【請求項１１】
或るスロットを監視する少なくとも１つのハイブリッド移動端末及び少なくとも１つの非ハイブリッド移動端末と通信することが可能な通信ネットワークにおいて、選択されたハイブリッド移動端末をクロスページングさせるための方法であって、
ターゲットネットワークが前記選択されたハイブリッド移動端末との通信を希望していることを示すページ指示を、前記ターゲットネットワークから受信する段階と、
少なくとも１つのハイブリッド移動端末及び少なくとも１つの非ハイブリッド移動端末に対して一連のメッセージにおける第１のメッセージを送信する段階と、
を含み、
前記第１のメッセージは、該第１のメッセージの予め規定されたフィールドが所定の値に設定されている場合に前記少なくとも１つの非ハイブリッド移動端末に対して前記或るスロットの監視を中止するよう指示するものであり、
さらに、
前記少なくとも１つのハイブリッド移動端末及び前記少なくとも１つの非ハイブリッド移動端末に対して前記一連のメッセージにおける第２のメッセージを送信する段階と、
を含み、
前記第２のメッセージが、前記選択されたハイブリッド移動端末に対して前記ページ指示を示すデータバーストメッセージを含むものである、
ことを特徴とする方法。
【請求項１２】
前記ハイブリッド移動端末のうちの残りの移動端末に対して前記或るスロットの監視を中止するよう指示する、前記一連のメッセージにおける第３のメッセージを送信する段階をさらに含む、請求項１１に記載の方法。
【請求項１３】
前記ターゲットネットワークからネットワーク及びサービス利用性情報を受信する段階をさらに含む、請求項１１に記載の方法。
【請求項１４】
前記第１のメッセージを送信する段階が、前記一連のメッセージにおける前記第１のメッセージの前記予め規定されたフィールドが前記所定の値以外の値に設定されている場合に前記或るスロットの監視を中止するよう前記少なくとも１つのハイブリッド移動端末に指示する段階をさらに含む、請求項１１に記載の方法。
【請求項１５】
或るスロットを監視する少なくとも１つのハイブリッド移動端末及び少なくとも１つの非ハイブリッド移動端末と通信することが可能な通信ネットワークにおいて選択された非ハイブリッド移動端末をクロスページングさせるためのコンピュータプログラム製品であって、
少なくとも１つのコンピュータにより読み取り可能な記録媒体であって、該記録媒体に記憶されたコンピュータにより読み取り可能なプログラムコード部分を有する記録媒体、を具備するコンピュータプログラム製品であって、
前記コンピュータにより読み取り可能なプログラムコード部分が、
ターゲットネットワークが前記選択されたハイブリッド移動端末との通信を希望していることを示すページ指示を、該ターゲットネットワークから受信する、第１の実行可能な部分と、
一連のメッセージにおける第１のメッセージを前記少なくとも１つのハイブリッド端末及び前記少なくとも１つの非ハイブリッド移動端末に対して送信する、第２の実行可能な部分と、
を具備し、
前記第１のメッセージが、該第１のメッセージの予め規定されたフィールドが所定の値に設定されている場合に前記少なくとも１つの非ハイブリッド移動端末に対して前記或るスロットの監視を中止するよう指示するものであり、
前記コンピュータにより読み取り可能なプログラムコード部分が、さらに、
前記一連のメッセージにおける第２のメッセージを前記少なくとも１つのハイブリッド移動端末及び前記少なくとも１つの非ハイブリッド移動端末に対して送信する、第３の実行可能な部分と、
を具備し、
前記第２のメッセージが、前記選択されたハイブリッド移動端末に前記ページ指示を示すデータバーストメッセージを含むものである、
ことを特徴とする、コンピュータプログラム製品。
【請求項１６】
前記ハイブリッド移動端末のうちの残りの移動端末に対して前記或るスロットの監視を中止するよう指示する前記一連のメッセージにおける第３のメッセージを送信する、第４の実行可能な部分をさらに具備する、請求項１５に記載のコンピュータプログラム製品。
【請求項１７】
前記ターゲットネットワークからネットワーク及びサービス利用性情報を受信する、第５の実行可能な部分をさらに具備する、請求項１５に記載のコンピュータプログラム製品。
【請求項１８】
前記第２の実行可能な部分は、前記一連のメッセージにおける前記第１のメッセージの前記予め規定されたフィールドが前記所定の値以外の値に設定されている場合に前記少なくとも１つのハイブリッド移動端末に対して前記或るスロットの監視を中止するよう指示する命令をさらに含む、請求項１５に記載のコンピュータプログラム製品。
【請求項１９】
或るスロットにおいて少なくとも１つのハイブリッド移動端末及び少なくとも１つの非ハイブリッド移動端末と通信することが可能なアンカーネットワークと、
選択されたハイブリッド移動端末との通信を希望していることを示すページ指示を、前記アンカーネットワークに対して発行するターゲットネットワークと、
を具備し、
前記アンカーネットワークが、前記少なくとも１つのハイブリッド移動端末及び前記少なくとも１つの非ハイブリッド移動端末に対して一連のメッセージを発行し、
該一連のメッセージが、
第１のメッセージであって、該第１のメッセージの予め規定されたフィールドが所定の値に設定されている場合に、前記少なくとも１つの非ハイブリッド移動端末に対して前記或るスロットの監視を中止するよう指示する第１のメッセージと、
前記選択されたハイブリッド移動端末に対して前記ページ指示を示すデータバーストメッセージを含む第２のメッセージと、
を含む、
ことを特徴とするシステム。
【請求項２０】
前記一連のメッセージが、さらに前記少なくとも１つのハイブリッド移動端末のうちの残りの移動端末に対して前記或るスロットの監視を中止するよう指示する第３のメッセージを含む、請求項１に記載のシステム。
【請求項２１】
前記少なくとも１つのハイブリッド移動端末は、前記一連のメッセージにおける前記第１のメッセージの前記予め規定されたフィールドが前記所定の値以外の値に設定されている場合に前記或るスロットの監視を中止する、請求項１に記載のシステム。
【請求項２２】
或るスロットにおい少なくとも１つのハイブリッド移動端末及び少なくとも１つの非ハイブリッド移動端末と通信することが可能なネットワークであって、
ターゲットネットワークが選択されたハイブリッド移動端末との通信を希望していることを示すページ指示を前記ターゲットネットワークから受信する手段と、
前記少なくとも１つのハイブリッド移動端末及び前記少なくとも１つの非ハイブリッド移動端末に対して一連のメッセージを発行する手段と、
を具備し、
該一連のメッセージが、
第１のメッセージであって、該第１のメッセージの予め規定されたフィールドが所定の値に設定されている場合に、前記少なくとも１つの非ハイブリッド移動端末に対して前記或るスロットの監視を中止するよう指示する第１のメッセージと、
前記選択されたハイブリッド移動端末に対して前記ページ指示を示すデータバーストメッセージを含む第２のメッセージと、
を含む、
ことを特徴とするネットワーク。
【請求項２３】
前記ハイブリッド移動端末のうちの残りの移動端末に対して前記或るスロットの監視を中止するよう指示する第３のメッセージを発行する手段をさらに具備する、請求項２２に記載のネットワーク。
【請求項２４】
前記データバーストメッセージが前記ページ指示を示す予め規定されたコードを含む、請求項２２に記載のネットワーク。
【請求項２５】
前記少なくとも１つのハイブリッド移動端末が、前記一連のメッセージにおける前記第１のメッセージの前記予め規定されたフィールドが前記所定の値以外の値に設定されている場合に前記或るスロットの監視を中止する、請求項２２に記載のネットワーク。
【請求項２６】
或るスロットにおいて少なくとも１つのハイブリッド移動端末と通信することが可能なエージェントを具備するネットワークであって、
前記エージェントは、ターゲットネットワークが選択されたハイブリッド移動端末との通信を希望することを示すページ指示を該ターゲットネットワークから受信することが可能であり、
前記エージェントは、さらに、前記選択されたハイブリッド移動端末に対して前記ページ指示を示す予め規定されたコードを有するデータバーストメッセージを発行することが可能である、
ことを特徴とするネットワーク。
【請求項２７】
前記データバーストメッセージが一般的なページメッセージの前に連続して発行される、請求項２６に記載のネットワーク。
【請求項２８】
前記データバーストメッセージが一般的なページメッセージに続いて連続して発行される、請求項２６に記載のネットワーク。
【請求項２９】
所定の値を有する前記一般的なページメッセージの予め規定されたフィールドに応答して、前記少なくとも１つのハイブリッド移動端末が、この後の前記データバーストメッセージの送信のために、前記或るスロットを監視するよう指示される、請求項２８に記載のネットワーク。
【請求項３０】
前記少なくとも１つのハイブリッド移動端末は、前記一般的なページメッセージの前記予め規定されたフィールドが前記所定の値以外の値に設定されている場合に前記或るスロットの監視を中止する、請求項２８に記載のネットワーク。
【請求項３１】
アンカーネットワークと通信しつつ或るスロットを監視し、ターゲットネットワークと通信することが可能であり、コントローラを具備する移動端末であって、
該コントローラが、前記移動端末に対してページ指示を示す予め規定されたコードを有するデータバーストメッセージを前記アンカーネットワークから受信することが可能であり、
前記ページ指示が、ターゲットネットワークから前記アンカーネットワークによって受信され、前記ターゲットネットワークが前記移動端末との通信を希望していることを示すものである、
ことを特徴とする移動端末。
【請求項３２】
前記データバーストメッセージが一般的なページメッセージの前に連続して発行される、請求項３１に記載の移動端末。
【請求項３３】
前記データバーストメッセージが一般的なページメッセージに続いて連続して発行される、請求項３１に記載の移動端末。
【請求項３４】
所定の値を有する前記一般的なページメッセージの予め規定されたフィールドに応答して、この後の前記データバーストメッセージの送信のために、或るスロットを監視するよう指示される、請求項３３に記載の移動端末。
【請求項３５】
前記一般的なページメッセージの前記予め規定されたフィールドが前記所定の値以外の値に設定されている場合に、前記或るスロットの監視を中止する、請求項３３に記載の移動端末。
【発明の詳細な説明】
【技術分野】
【０００１】
本発明は、一般に、移動端末が別のネットワークで動作する間に移動端末をあるネットワークからクロスページングするシステム及び方法に係り、より詳細には、移動端末が動作している別のネットワークにおいてデータバーストメッセージ（ＤＢＭ）を経て移動端末をあるネットワークからクロスページングするシステム及び方法に係る。
【背景技術】
【０００２】
通信ネットワークは、２つ以上の通信局間でデータを通信するように動作する。通信ネットワークは、最低限、送信局を形成する第１通信局と、受信局を形成する第２通信局とで形成される。通信局は、通信チャンネルにより相互接続される。第１通信局により第２通信局へ通信されるべきデータは、通信チャンネルにより第２通信局へ送信される。通信されるべきデータは、第１通信局により、通信チャンネルに対してその通信を許す形態へ変換される。第２通信局は、そこに通信されたデータを検出して、その情報内容を回復するように動作する。
【０００３】
通信局間でデータの通信を行なうために多数の異なる形式の通信ネットワークが開発され実施されている。通信技術の進歩が続くのに伴い、新規な形式の通信ネットワークが製造されると共に、既存の通信ネットワークに対する改良がなされ続けている。
【０００４】
無線通信ネットワークは、通信ネットワークの一例である。無線通信ネットワークは、そこで動作できる通信局間で通信されるべきデータを送信するために無線通信チャンネルを使用する。この無線通信チャンネルは、電磁スペクトルの一部分を形成する無線リンクに基づいて定義される。無線リンクを使用して通信チャンネルを定義するので、ワイヤライン接続を使用して無線チャンネルを定義する必要性が排除される。無線通信ネットワークの実施は、一般に、従来のワイヤライン通信ネットワークを構成するのに要する対応コストよりコストが安い。又、無線通信ネットワークを実施して、移動通信ネットワークを形成することもできる。
【０００５】
無線通信ネットワークの一例であるセルラー通信ネットワークは、広く実施されて、幅広いレベルの利用を得ている。セルラー通信ネットワークは、移動端末との無線通信を与える。移動端末は、電話通信を実施するのを許す。セルラー通信ネットワークは、地理的エリア全体に設置されたネットワーク部分であって、移動端末が無線チャンネルにより通信するところのネットワーク部分を備えている。通信ネットワークのネットワーク部分の各部分を形成するベーストランシーバステーションは、その通信ネットワークによりカバーされる地理的エリア全体にわたり離間された位置に設置される。ベーストランシーバステーションの各々は、地理的エリアの一部分を包囲するセルを画成する。ベーストランシーバステーションにより画成されたセル内に移動端末が存在するときには、一般的に、そのセルを画成するベーストランシーバステーションで通信を行なうことができる。
【０００６】
移動端末が、異なるベーストランシーバステーションにより画成されたセルとセルとの間を移動するときには、その移動局による及びその移動局との継続した通信を許すために通信ハンドオフが実行される。ベーストランシーバステーションの適当な位置付けにより、移動端末とベーストランシーバステーションとの間で通信を行なうのに、比較的低い電力の信号を発生するだけでよい。移動端末がセルとセルとの間を移動するときの次々のベーストランシーバステーション間の通信のハンドオフは、通信信号を送信するところの電力レベルの増加を必要とせずに通信の継続を許す。通信を実行するのに、比較的低電力の信号を発生するだけでよいので、同じセルラー通信ネットワークの異なる位置において同じ無線チャンネルを再使用することができる。これにより、セルラー通信ネットワークへの周波数スペクトル割り当ての効率的な利用が可能となる。
【０００７】
セルラー及び他の通信ネットワークを動作できるようにすべき動作パラメータを定義する種々の動作仕様が公表されている。技術的な進歩が利用可能になったときにそのような進歩を組み込んだセルラー通信ネットワークの次々の世代が、次々の世代の動作仕様又はその更新により定義されている。第１世代（１Ｇ）及び第２世代（２Ｇ）ネットワークは、広く実施されており、著しいレベルの利用を得ている。この点に関して、第２世代（２Ｇ）ネットワーク（例えば、ＩＳ−９５）の目標は、スペクトル効率が良く且つ経済的に実現可能な予め定義された移動電話サービスを可能にすることであった。その結果、移動低レート回路交換音声通信及び低レートデータ通信を与えるネットワークが得られた。２Ｇの成功は、予想を越える消費者の容認及び人気によって証明される。より多くの消費者が移動端末サービスを利用するにつれて、益々大勢の人が音声及びデータの両方についてより大きな容量の希望を示した。セルラー産業は、パケット交換データネットワークを導入した次世代のものである第３世代（３Ｇ）（例えば、ｃｄｍａ２０００）ネットワークでそれに答えた。
【０００８】
コード分割多重アクセス（ＣＤＭＡ）は、ＩＳ−９５規格の導入と共に、１９９０年代初期に、セルラーベースの移動通信システムに導入された。それ以来、ＣＤＭＡ技術は、ワイヤレス産業に充分に受け容れられ、広範囲に広められて、文字通り全世界で数億人の加入者に達した。最近では、データサービスに対する高いデータレートを与えながらＣＤＭＡの音声サービス容量を更に改善するために、ｃｄｍａ２０００  １Ｘ規格のようなＩＳ−９５規格の３Ｇ後方互換性進化が開発された。この進化の一部分として、ワイヤレス高速パケットデータサービスを最適化して、インターネットプロトコル（ＩＰ）により容易にできるように、ｃｄｍａ２０００  １Ｘ−ＥＶＤＯネットワークが開発された。しかしながら、ｃｄｍａ２０００  １Ｘ−ＥＶＤＯのようなネットワークは、パケットデータサービスしかサポートしないので、音声及びデータの両サービスを提供するｃｄｍａ２０００  １Ｘのようなネットワークと、高速パケットデータサービスを提供するｃｄｍａ２０００  １Ｘ−ＥＶＤＯのようなネットワークとにアクセスできるハイブリッド端末と時々称される移動端末が開発された。したがって、ハイブリッド端末は、音声通信及びショートメッセージサービス（ＳＭＳ）に対してｃｄｍａ２０００  １Ｘネットワークを、マルチメディアメッセージサービス（ＭＭＳ）及び他のデータ通信に対してｃｄｍａ２０００  １Ｘ−ＥＶＤＯネットワークを利用することができる。
【０００９】
ｃｄｍａ２０００  １Ｘ、又は１Ｘ−ＥＶＤＯのようなネットワークでは、メッセージ（即ち、「コール」）が移動端末に着信されるときに、ネットワークインフラストラクチャーは、移動端末にメッセージをアラートするためにページングメッセージをブロードキャストする。各ネットワークのチャンネルを監視して、移動端末は、そのページングメッセージを検出し、それに応答して、種々のオペレーションを実行し、着信メッセージを受信する。ページングメッセージの検出に関連して、移動端末のバッテリの寿命を保存するために、ｃｄｍａ２０００  １Ｘシステムにはスロット型モードオペレーションが導入されている。この点について、ページングメッセージが送信されるチャンネル、例えば、順方向共通シグナリング論理的チャンネル（ｆ−ｃｓｃｈ）が２０４８個のスロットに分割される。それ故、スロット型モードで動作する移動端末は、１つのスロットが指定され、その指定されたスロット及び後続スロットを監視するだけでよい。例えば、図１を参照されたい。その指定されたスロット及び後続スロットを除いて、移動端末は、その受信器／送信器をターンオフし、他の非重要処理を延期するよう選択することができる。ｃｄｍａ２０００  １Ｘシステムの各ページングスロットは、長さが８０ｍｓであり、移動端末に指定されるスロットは、ｃｄｍａ２０００  １Ｘ規格に定義されたハッシュアルゴリズムにより決定される。例えば、ハッシュアルゴリズムは、移動端末の電話番号（ＭＩＮ）を取り上げ、２０４８個の考えられるスロット（スロット０〜２０４７で示される）のうちのどのスロットが移動端末に指定されたスロットか決定する。又、ｃｄｍａ２０００  １Ｘネットワークは、同じハッシュアルゴリズムを使用するので、どれが移動端末に指定されたスロットか分る。
【００１０】
又、ｃｄｍａ２０００  １Ｘシステムには、スロットサイクルの概念も定義されている。この点に関して、移動端末がその指定スロットを決定すると、移動端末は、スロットサイクルごとにウェイクアップして、それにアドレスされたページ指示又は他のメッセージがその指定スロット又は後続スロットにあるかどうかチェックする。図１に示すように、移動端末は、異なるスロットサイクルを有し、例えば、ＭＮ０のサイクルは、１．２８秒であり、ＭＮ７のサイクルは、２．５６秒である。更に、その指定スロット及び後続スロットの両方において移動端末にメッセージを送信するのを許すことにより、ネットワークは、移動端末へのメッセージのスケジューリングに関して融通性を改善し、これは、ページングチャンネルが混雑している場合に特に有用である。
【００１１】
考えられるスロット位置が２０４８個しかないので、異なる移動端末に同じスロットが指定されることになる。ＭＮ０、ＭＮ３及びＭＮ４が全て１つのスロットに指定され、ＭＮ１及びＭＮ７が全て別のスロットに指定された図１を参照されたい。その指定スロットを監視する前に、移動端末は、その移動端末に対するページ／メッセージがその次の指定スロットにあるかどうか知らない。ネットワークがその指定スロットにおいて他のメッセージをページングしたり又はそれをいずれかの移動端末に送信したりする必要がない場合には、ネットワークは、そのスロット内においてできるだけ早くそのスロットに指定された移動端末に忠告して、その移動端末ができるだけ早くスリープ状態に入れるようにし、これにより、バッテリ電力を更に節約するのが好都合である。図２に示すように、ｃｄｍａ２０００  １Ｘネットワークのメカニズムは、各スロットの移動端末に対してページ／メッセージがないことを指示するために一般的ページメッセージ（ＧＰＭ）においてＣＬＡＳＳ＿０＿ＤＯＮＥフィールドを“１”にセットすることである。このＧＰＭを指定スロットにおいて受信すると、移動端末は、直ちに、即ち図２に示すようにスロットの終了の前に、スリープ状態に入ることができる。多くの移動端末が同じスロットを使用する通常の場合には、ネットワークは、スロットに指定された移動端末にいずれかのメッセージが送信されるまで、ＣＬＡＳＳ＿０＿ＤＯＮＥフィールドが１にセットされた状態でＧＰＭを送信することができない。メッセージを受信しない移動端末については、移動端末は、他の移動端末へメッセージが送信される間に、目覚めたままでなければならず、これにより、バッテリ電力を不必要に消費する。
【発明の開示】
【発明が解決しようとする課題】
【００１２】
しかしながら、当業者に明らかなように、ｃｄｍａ２０００  １Ｘのようなネットワークにおいて動作する種々の場合に、移動端末は、ｃｄｍａ２０００  １Ｘ−ＥＶＤＯネットワークからのページングメッセージを監視しなくてもよく、したがって、バッテリ電力を保存する。例えば、移動端末は、最初に、ｃｄｍａ２０００  １Ｘ−ＥＶＤＯネットワークにおいて、データアプリケーション、例えば、ｆｔｐファイルのダウンロードに関連して動作する。ある時点で、データアプリケーションは、ｆｔｐファイルダウンロードの完了時等に、睡眠状態に至り、移動端末は、ｃｄｍａ２０００  １Ｘ−ＥＶＤＯネットワークによりアイドル状態に入れられる。その後、移動端末は、ｃｄｍａ２０００  １Ｘネットワークへ切り換ることができる。移動端末は、ｃｄｍａ２０００  １Ｘ−ＥＶＤＯネットワークによるネットワークサービスが失われるのに関連してｃｄｍａ２０００  １Ｘネットワークによるネットワークサービスが発見されるか又は移動端末による音声コールが発せられることを含む多数の理由で、ｃｄｍａ２０００  １Ｘネットワークに切り換ることができる。移動端末は、ここで、ｃｄｍａ２０００  １Ｘ−ＥＶＤＯネットワークからではなくｃｄｍａ２０００  １Ｘネットワークからの信号に対する異なる周波数を監視するので、移動端末は、ｃｄｍａ２０００  １Ｘ−ＥＶＤＯネットワークからのページングメッセージをもはや監視しない。周波数の相違に加えて、２つのネットワーク間のオーバー・ジ・エア(over-the-air)技術の相違も、一方のネットワークにおいてアクティブな移動端末が他方のネットワークにおけるページングメッセージを監視するのを防止する。このような場合に、ｃｄｍａ２０００  １Ｘ−ＥＶＤＯネットワークは、ｃｄｍａ２０００  １Ｘネットワークで動作する移動端末に着信されるべきメッセージ、例えば、新たな映画の広告又はダウンロードを有することはあっても、ｃｄｍａ２０００  １Ｘ−ＥＶＤＯネットワークは、ページングメッセージを経てその移動端末に到達することができない。
【課題を解決するための手段】
【００１３】
以上の背景に鑑み、本発明の実施形態は、移動端末がページングメッセージの監視を停止した場合にも移動端末をクロスページングするためのシステム、ネットワーク、移動端末及び方法を提供することである。この点に関して、移動端末が現在通信していないデータのみのネットワーク（例えば、ｃｄｍａ２０００  １Ｘ−ＥＶＤＯ）のようなターゲットネットワークは、移動端末が音声及びデータネットワーク（例えば、ｃｄｍａ２０００  １Ｘ）のようなアンカーネットワークを経てアクティブに通信し、且つ他のネットワークからのページングメッセージの監視を停止した場合でも、ターゲットネットワークが移動端末との通信の確立を希望することを移動端末に通知することができる。したがって、移動端末は、アンカーネットワークとの通信を終了し、次いで、ターゲットネットワークとの通信を開始することができる。例えば、移動端末のユーザは、データのみのネットワークが移動端末との通信セッションの確立を希望するという通知を受け取った際に、ＭＭＳメッセージを受信するか、又はデータのみのネットワークを経て映画をダウンロードするために、音声及びデータネットワークを経ての音声通信を終了することができる。
【００１４】
ターゲットネットワークは、アンカーネットワークへ送信されるページメッセージのようなメッセージにより、移動端末との通信を希望することを移動端末に通知することができる。この実施形態のアンカーネットワークは、次いで、ターゲットネットワークからの問合せを移動端末に通知する移動端末への所定のコードを含むデータバーストメッセージ（ＤＢＭ）を発行することができる。このＤＢＭに応答して、移動端末は、アンカーネットワークからターゲットネットワークへの切り換えを行なうべきかどうか決定し、もしそうであれば、アンカートラフィックチャンネル指定を終了し、ターゲットネットワークへの接続要求を発生して、ターゲットネットワークのトラフィック及びサービス設定を開始することができる。ページ通知と共に、ターゲットネットワークは、ネットワーク及びサービス利用性情報をアンカーネットワークに与えることができる。このネットワーク及びサービス利用性情報は、ターゲットネットワークへ切り換えるべきかどうか決定する上でユーザの助けとなり、もしそうであれば、ターゲットネットワークのトラフィック及びサービス設定を迅速に且つ効率的に遂行する上で助けとなる。
【００１５】
一実施形態によれば、アイドル状態にある移動端末に対してシグナリングシーケンスがアラートされる。移動端末に指定されたスロットにおいて、全ての非ハイブリッド移動端末、即ちそのスロットに指定されてターゲットネットワークと通信できない移動端末に、スロットの監視を止めてスリープ状態に戻ることを通知する所定値に規定フィールドがセットされた状態で、一般的ページメッセージ（ＧＰＭ）を送信することができる。ハイブリッド移動端末は、１つ以上のハイブリッド移動端末に向けられたＤＢＭを受け取るためにスロットの監視を続ける。次いで、残りのハイブリッド移動端末、即ちターゲットネットワークへ切り換らないハイブリッド移動端末に、スロットの監視を止めてスリープ状態に戻るように指令するために、従来のＧＰＭを発行することができる。それ故、本発明のこの実施形態のシグナリングシーケンスを使用することにより、非ハイブリッド移動端末のバッテリ寿命が更に節約される。
【００１６】
例示的実施形態によれば、選択されたハイブリッド移動端末をクロスページングするための方法及びコンピュータプログラム製品であって、ターゲットネットワークからのページ指示を受け取ることを含む方法及びコンピュータプログラム製品が提供される。このページ指示は、ターゲットネットワークがその選択されたハイブリッド移動端末との通信を希望することを指示する。次いで、一連のメッセージの第１メッセージが、ハイブリッド移動端末及び非ハイブリッド移動端末のグループの１つである選択されたハイブリッド移動端末へ送信される。この第１メッセージは、この第１メッセージの規定のフィールドが所定値にセットされた場合に、少なくとも１つの非ハイブリッド移動端末に、スロットの監視を止めるように指令する。次いで、一連のメッセージの第２メッセージが送信される。この第２メッセージは、選択されたハイブリッド移動端末へのページ指示を表わすデータバーストメッセージを含む。次いで、一般的ページメッセージの第３メッセージを送信することができる。この第３メッセージは、残りのハイブリッド移動端末に、スロットの監視を止めるように指令する。
【００１７】
別の例示的実施形態によれば、選択されたハイブリッド移動端末をクロスページングするためのシステム及びネットワークが提供される。このシステムは、アンカーネットワーク及びターゲットネットワークを備えている。アンカーネットワークは、１つのスロットにおいて少なくとも１つのハイブリッド移動端末及び少なくとも１つの非ハイブリッド移動端末と通信することができる。ターゲットネットワークは、アンカーネットワークへページ指示を発行することができる。このページ指示は、ターゲットネットワークが、ハイブリッド移動端末の１つである選択されたハイブリッド移動端末との通信を希望することを指示する。アンカーネットワークは、少なくとも１つのハイブリッド移動端末及び少なくとも１つの非ハイブリッド移動端末へ一連のメッセージを発行する。この一連のメッセージは、第１メッセージ及び第２メッセージを含む。第１メッセージは、この第１メッセージの規定のフィールドが所定値にセットされた場合に、少なくとも１つの非ハイブリッド移動端末に、スロットの監視を止めるように指令する。第２メッセージは、選択されたハイブリッド移動端末へのページ指示を表わすデータバーストメッセージを含む。
【００１８】
更に別の例示的実施形態によれば、クロスページングすることのできる移動端末が提供される。この移動端末は、アンカーネットワークと通信する間にスロットを監視し、ターゲットネットワークと通信することができる。移動端末は、アンカーネットワークから一連のメッセージを受け取ることのできるコントローラを含む。この一連のメッセージは、第１メッセージ及び第２メッセージを含む。第１メッセージは、この第１メッセージの規定のフィールドが所定値にセットされた場合に、アンカーネットワークと通信する非ハイブリッド移動端末に、スロットの監視を止めるように指令する。第２メッセージは、移動端末へのページ指示を表わすデータバーストメッセージを含み、ページ指示は、ターゲットネットワークが移動端末との通信を希望することを指示する。
【発明を実施するための最良の形態】
【００１９】
以上、本発明を一般的に説明したが、必ずしも正しい縮尺で描かれていない添付図面を参照して、本発明を以下に詳細に説明する。
【００２０】
本発明の好ましい実施形態が示された添付図面を参照して本発明を以下に詳細に説明する。しかしながら、本発明は、多数の異なる形態で実施することができ、ここに述べる実施形態に限定されるものではなく、むしろ、これら実施形態は、この開示が綿密で且つ完全なものとなり、本発明の範囲を当業者に完全に伝えるためのものである。全体を通じて同じ要素は、同じ番号で示される。
【００２１】
図３には、本発明から利益が得られるシステムの一形式が示されている。本発明の実施形態のシステム、方法及びコンピュータプログラム製品は、主として、移動通信アプリケーションに関連して説明する。しかしながら、本発明の実施形態のシステム、方法及びコンピュータプログラム製品は、移動通信産業及びそれ以外の産業の両方において、種々の他のアプリケーションに関連して利用できることが理解できよう。例えば、本発明の実施形態のシステム、方法及びコンピュータプログラム製品は、ワイヤライン及び／又はワイヤレスネットワーク（例えば、インターネット）アプリケーションに関連して利用することができる。
【００２２】
図示されたように、このシステムは、ベースサイト即ち基地局（ＢＳ）１４へ信号を送信し且つそこから信号を受信することのできる移動端末、以下、移動ノード（ＭＮ）１０、を含むことができ、ＢＳは、図３に２つ示されている（アンカーＢＳ１４ａ及びターゲットＢＳ１４ｂを含むものとして図示して説明する）。基地局は、ネットワークを動作するのに必要な要素、例えば、移動交換センター（ＭＳＣ）（図示せず）を含む１つ以上のセルラー又は移動ネットワークの一部分である。当業者に良く知られたように、移動ネットワークは、基地局／ＭＳＣ／インターワーキングファンクション（ＢＭＩ）とも称される。動作中に、ＭＳＣは、端末がコールを発したり受けたりするときに端末へ及び端末からコールをルーティングすることができる。又、ＭＳＣは、端末がコールに関与するときに地上線トランクへの接続を与えることもできる。更に、ＭＳＣは、端末への及び端末からのメッセージの転送を制御できると共に、メッセージングセンターへの及びメッセージングセンターからの端末のメッセージの転送を制御することもできる。
【００２３】
又、ＭＮ１０は、データネットワークに結合することもできる。例えば、ＢＳ１４は、ローカルエリアネットワーク（ＬＡＮ）、都市エリアネットワーク（ＭＡＮ）、及び／又はワイドエリアネットワーク（ＷＡＮ）のようなデータネットワークに結合することができる。１つの典型的な実施形態において、ＢＳは、ゲートウェイに結合され、ゲートウェイは、インターネットプロトコル（ＩＰ）ネットワーク１６のようなデータネットワークに結合される。ゲートウェイは、ＭＮと、データネットワークに直接的又は間接的に結合された他のノードとの間にネットワーク接続を与えることのできる多数の異なるエンティティを含むことができる。明らかなように、ゲートウェイは、ホームエージェント（ＨＡ）１８、外部エージェント（ＦＡ）２０（アンカーＦＡ２０ａ及びターゲットＦＡ２０ｂを含むものとして図示して以下に説明する）、パケットデータサービングノード（ＰＤＳＮ）、アクセスルータ、等の多数の異なる仕方のいずれかで説明することができる。この点に関して、ＨＡは、ＭＮのホームネットワーク２２内にルーターを含むことができる。ＨＡは、ＭＮがホームから離れているときにＭＮへ配送するためのデータをトンネリング(tunneling)できると共に、ＭＮの現在位置情報を維持することができる。他方、ＦＡは、ＭＮの訪問先ネットワーク２４内にルーターを含むことができる（アンカー訪問先ネットワーク２４ａ及びターゲット訪問先ネットワーク２４ｂを含むものとして図示して以下に説明する）。ＦＡは、ＭＮが訪問先ネットワークに登録されている間にＭＮへルーティングサービスを提供する。オペレーションの間に、ＦＡは、ＨＡからデータをデトンネル(detunnel)し、データをＭＮへ配送する。次いで、訪問先ネットワークに登録されたＭＮから送信されるデータに対して、ＦＡは、デフォールトルーターとして働くことができる。
【００２４】
ＩＰネットワーク１６を経てＭＮ１０へ結合される他のノードは、本発明の実施形態に基づいてＭＮと通信することのできる多数の異なる装置、システム、等を含むことができる。ここに述べるように、ＩＰネットワークを経てＭＮと通信することのできるノードは、対応ノード（ＣＮ）２６と称され、その１つが図３に示されている。他のＣＮは、例えば、パーソナルコンピュータ、サーバコンピュータ、等を含むことができる。それに加えて又はそれとは別に、例えば、１つ以上のＣＮは、移動電話、ポータブルデジタルアシスタント（ＰＤＡ）、ページャー、ラップトップコンピュータ、等の他のＭＮを含むことができる。
【００２５】
考えられる各ネットワークの各要素を図示してここに説明するのではないが、ＭＮ１０を多数の異なるネットワークの１つ以上に結合できることが明らかであろう。図示してここに説明するように、アンカー訪問先ネットワーク２４ａは、第３世代（３Ｇ）移動通信プロトコルｃｄｍａ２０００  １Ｘ（ＴＩＡ／ＥＩＡ／ＩＳ−２０００）に基づいて通信をサポートすることができ、一方、ターゲット訪問先ネットワーク２４ｂは、３Ｇ移動通信プロトコルｃｄｍａ２０００  １ＸＥＶ−ＤＯ（ＴＩＡ／ＥＩＡ／ＩＳ−８５６）に基づいて通信をサポートすることができる。しかしながら、移動ネットワーク（１つ又は複数）は、多数の他の第１世代（１Ｇ）、第２世代（２Ｇ）、２．５Ｇ、３Ｇ又は他の移動通信プロトコルの１つ以上に基づいて通信をサポートしながら、本発明の実施形態に基づいて等しく動作できることが明らかであろう。例えば、２Ｇワイヤレス通信プロトコル、ＩＳ−１３６（ＴＤＭＡ）、ＧＳＭ、ＩＳ−９５（ＣＤＭＡ）、等；２．５Ｇワイヤレス通信プロトコル、ＧＰＲＳ、エンハンストデータＧＳＭ環境（ＥＤＧＥ）、等；及び／又は３Ｇワイヤレス通信プロトコル、ユニバーサル移動電話システム（ＵＭＴＳ）に基づいて通信をサポートすることのできる１つ以上のネットワークは、ワイドバンドコード分割多重アクセス（ＷＣＤＭＡ）無線アクセス技術、ｃｄｍａ２０００  １ＸＥＶ−ＤＶ、等を使用してネットワーク形成する。
【００２６】
図４を参照すれば、本発明の一実施形態に基づき、ＭＮ１０、ＨＡ１８、ＦＡ２０及び／又はＣＮ２６として動作できるエンティティのブロック図が示されている。個別のエンティティとして示されているが、ある実施形態では、１つ以上のエンティティは、論理的に個別であるがエンティティ（１つ又は複数）内に共通配置されたＭＮ、ＨＡ、ＦＡ及び／又はＣＮの１つ以上をサポートしてもよい。例えば、単一のエンティティが、論理的に個別であるが共通配置されたＨＡ及びＣＮをサポートしてもよい。又、例えば、単一エンティティが、論理的に個別であるが共通配置されたＦＡ及びＣＮをサポートしてもよい。
【００２７】
図示されたように、ＭＮ１０、ＨＡ１８、ＦＡ２０及び／又はＣＮ２６として動作できるエンティティは、一般に、メモリ３２に接続されたプロセッサ３０を含むことができる。メモリは、揮発性及び／又は不揮発性メモリで構成され、通常、コンテンツ、データ、等を記憶することができる。例えば、メモリは、通常、エンティティから送信され及び／又はエンティティにより受信されたコンテンツを記憶する。又、例えば、メモリは、通常、本発明の実施形態に基づきエンティティの動作に関連したステップをプロセッサが遂行するためのソフトウェアアプリケーション、インストラクション、等を記憶する。
【００２８】
メモリ３２に加えて、プロセッサ３０は、データ、コンテンツ、等を表示し、送信し、及び／又は受信するための少なくとも１つのインターフェイス又は他の手段に接続することもできる。この点に関して、インターフェイス（１つ又は複数）は、データ、コンテンツ、等を送信し、及び／又は受信するための少なくとも１つの通信インターフェイス３４又は他の手段と、ディスプレイ３６及び／又はユーザ入力インターフェイス３８を含む少なくとも１つのユーザインターフェイスとを備えることができる。ユーザ入力インターフェイスは、次いで、エンティティがユーザからのデータを受け取るのを許す多数の装置のいずれか、例えば、キーパッド、タッチディスプレイ、ジョイスティック又は他の入力装置を含むことができる。
【００２９】
図５には、本発明の実施形態から利益を得る一形式のＭＮ１０が示されている。しかしながら、図示して以下に述べるＭＮは、本発明から利益を得る一形式のＭＮを単に例示するに過ぎず、それ故、本発明の範囲を限定するものではないことを理解されたい。ＭＮの幾つかの実施形態を例示の目的で図示して以下に述べるが、ポータブルデジタルアシスタント（ＰＤＡ）、ページャー、ラップトップコンピュータ及び他の形式の電子システムのような他の形式のＭＮも、本発明を容易に利用することができる。
【００３０】
図示されたように、アンテナ４０に加えて、ＭＮ１０は、送信器４２と、受信器４４と、これら送信器及び受信器へ各々信号を供給し且つそこから信号を受信するコントローラ４６とを備えている。これら信号は、適用可能なセルラーシステムのエアインターフェイス規格に基づくシグナリング情報と、ユーザスピーチ及び／又はユーザ発生データとを含む。この点について、ＭＮは、１つ以上のエアインターフェイス規格、通信プロトコル、変調形式、及びアクセス形式で動作することができる。ここに説明するように、ＭＮは、ｃｄｍａ２０００  １Ｘ及びｃｄｍａ２０００  １ＸＥＶ−ＤＯ通信プロトコルに基づいて動作することができる。しかしながら、ＭＮは、より一般的には、多数の１Ｇ、２Ｇ、２．５Ｇ、３Ｇ、又は他の通信プロトコルのいずれかに基づいて動作することもできる。
【００３１】
コントローラ４６は、ＭＮ１０のオーディオ及びロジック機能を実施するのに必要な回路を含むことを理解されたい。例えば、コントローラは、デジタル信号プロセッサ装置、マイクロプロセッサ装置、並びに種々のアナログ／デジタルコンバータ、デジタル／アナログコンバータ、及び他のサポート回路で構成されてもよい。ＭＮの制御及び信号処理機能は、これらの装置間に、それらの各能力に基づいて割り当てられる。コントローラは、更に、内部ボイスコーダ（ＶＣ）４６Ａを含むことができ、又、内部データモデム（ＤＭ）４６Ｂを含んでもよい。更に、コントローラは、メモリ（上述した）に記憶される１つ以上のソフトウェアプログラムを動作する機能を含んでもよい。例えば、コントローラは、従来のウェブブラウザのような接続性プログラムを動作することができる。この接続性プログラムは、次いで、ＭＮが、例えば、ＨＴＴＰ及び／又はワイヤレスアプリケーションプロトコル（ＷＡＰ）に基づいてウェブコンテンツを送信及び受信するのを許す。
【００３２】
又、ＭＮ１０は、従来のイヤホン又はスピーカ４８、リンガー５０、マイクロホン５２、ディスプレイ５４及びユーザ入力インターフェイスを含むユーザインターフェイスも備え、これらは、全て、コントローラ４６に結合される。ＭＮがデータを受信するのを許すユーザ入力インターフェイスは、ＭＮがデータを受信するのを許す多数の装置のいずれか、例えば、キーパッド５６、タッチディスプレイ（図示せず）又は他の入力装置を含むことができる。キーパッドを含む実施形態では、キーパッドは、従来の数字（０−９）及び関連キー（＃、＊）、並びにＭＮを操作するのに使用される他のキーを含む。図示されていないが、ＭＮは、ＭＮを動作すると共に、検出可能な出力として機械的な振動を任意に与えるのに必要な種々の回路を付勢するための振動バッテリパックのようなバッテリを含むことができる。
【００３３】
又、ＭＮ１０は、通常、移動加入者に関連した情報エレメントを記憶するメモリ、例えば、加入者アイデンティティモジュール（ＳＩＭ）５８、取り外し可能なユーザアイデンティティモジュール（Ｒ−ＵＩＭ）、等も含むことができる。ＳＩＭに加えて、ＭＮは、他の取り外し可能なメモリ及び／又は固定メモリを含むことができる。この点に関して、ＭＮは、揮発性メモリ６０、例えば、データを一時的に記憶するキャッシュエリアを含む揮発性ランダムアクセスメモリ（ＲＡＭ）を含むことができる。又、ＭＮは、埋設でき及び／又は取り外されてもよい他の不揮発性メモリ６２を含んでもよい。それに加えて又はそれとは別に、不揮発性メモリは、ＥＥＰＲＯＭ、フラッシュメモリ、等を含むこともできる。これらメモリは、ＭＮの機能を実施するためにＭＮにより使用される情報及びデータの多数の断片のいずれも記憶できる。例えば、メモリは、移動ネットワーク２２、２４に対して移動局を独特に識別することのできる識別子、例えば、国際移動装置識別（ＩＭＥＩ）コード、国際移動加入者識別（ＩＭＳＩ）コード、移動局サービス総合デジタル網（ＭＳＩＳＤＮ）コード（移動電話番号）、セッションイニシエーションプロトコル（ＳＩＰ）、等を記憶することができる。
【００３４】
背景技術について述べたように、データのみのネットワーク（例えば、ｃｄｍａ２０００  １Ｘ−ＥＶＤＯ）のようなネットワークが、音声及びデータネットワーク（例えば、ｃｄｍａ２０００  １Ｘ）のような別のネットワークで動作しているＭＮ１０との通信の確立を希望することがある。例えば、ｃｄｍａ２０００  １Ｘ−ＥＶＤＯネットワークは、ｃｄｍａ２０００  １Ｘネットワークを経て音声通信を現在サポートしているＭＮへＭＭＳメッセージを送信するか又は映画や広告のようなファイルをダウンロードすることを希望する。しかしながら、あるネットワークで動作しているＭＮは、他のネットワーク（１つ又は複数）に対するページングメッセージの監視を停止することができ、これは、ＭＮが現在通信していないネットワークが、ＭＮとの通信の確立を希望することをＭＮに通知する従来の技術である。この点に関して、ＭＮは、上述したように、運営規格に適合するようにページングメッセージの監視を停止して、バッテリの消費を減少することができる。
【００３５】
それ故、以下で詳細に述べるように、本発明の実施形態は、ＭＮ１０が現在通信していないデータのみのネットワーク（例えば、ｃｄｍａ２０００  １Ｘ−ＥＶＤＯ）のようなネットワークが、ＭＮが音声及びデータネットワーク（例えば、ｃｄｍａ２０００  １Ｘ）のような別のネットワークを経てアクティブに通信していて、且つ他のネットワークからのページングメッセージの監視を停止した場合でも、ＭＮとの通信の確立を希望することをＭＮに通知するのを許すことができる。したがって、ＭＮは、通常、ＭＮ又はＭＮのユーザから許可を受けた際に、それまで通信していたネットワークとの通信を終了し、次いで、ＭＮとの通信の希望をＭＮに通知した他のネットワークとの通信を開始することができる。例えば、ＭＮのユーザは、データのみのネットワークがＭＮとの通信セッションの確立を希望するという通知を受けた際に、音声及びデータネットワークを経ての音声通信を終了させ、データのみのネットワークを経てＭＭＳメッセージを受信するか又は映画をダウンロードすることができる。
【００３６】
図６は、ＭＮ１０とＣＮ２６との間の通信セッション中に、ＭＮが、異なるネットワークの新たなターゲットＦＡ２０ｂから、そのターゲットＦＡがＭＮとの通信を希望していることが通知される状態で、第１ネットワークの現在ＦＡ２０ａにおいて動作しているＭＮ１０をクロスページングする方法を示す制御フローチャートである。ここに述べるように、ＭＮは、アンカーＦＡと通信している。しかしながら、本発明の精神及び範囲から逸脱せずに、ＭＮは、アンカーＨＡ１８とも等しく通信できることを理解されたい。又、以下に述べるように、図６の方法は、ＭＮがｃｄｍａ２０００  １Ｘネットワークで動作している間にｃｄｍａ２０００  １Ｘ−ＥＶＤＯネットワークによりＭＮをクロスページングすることにも適用でき、或いは将来ｃｄｍａ２０００  １Ｘ−ＥＶＤＯネットワークにより与えられるシグナリングが適当に拡張されれば、おそらくその逆のことも言える。この点に関して、図６の方法は、ＭＮがｃｄｍａ２０００  １ＸネットワークにおいてアンカーＰＤＳＮ（即ち、アンカーＦＡ）との通信セッションにある間にｃｄｍａ２０００  １Ｘ−ＥＶＤＯネットワークにおけるターゲットＰＤＳＮ（即ち、ターゲットＦＡ）からＭＮをクロスページングすることに関連して説明する。しかしながら、図６の方法は、本発明の精神及び範囲から逸脱せずに、ＭＮが同じ又は異なる形式のネットワークにおいて動作している間に多数の他のネットワークのいずれかからＭＮをクロスページングすることにも等しく適用できることを理解されたい。
【００３７】
図６に示すように、本発明の一実施形態によりＭＮ１０をクロスページングする方法は、ＭＮ１０が、最初に、アンカーネットワーク２０ａ、即ちｃｄｍａ２０００  １ＸネットワークにおけるアンカーＰＳＤＮと通信することを含む。例えば、ＭＮ及びアンカーＰＤＳＮは、音声通信又はＳＭＳメッセージの交換に参加することができる。アンカーＰＤＳＮとのこの通信セッション中に、ＭＮは、別のネットワークがＭＮとの通信を希望することをＭＮにアラートする他のネットワークからのページングメッセージの監視を止めることができる。ＭＮがページングメッセージの監視を止めることは、通常、適用規格により支配され、例えば、バッテリの消費を節約することを含む種々の理由で行うことができる。
【００３８】
図６の方法において、ｃｄｍａ２０００  １Ｘ−ＥＶＤＯネットワークのようなターゲットネットワーク２０ｂは、ＭＮ１０との通信の確立を希望するが、ＭＮがアンカーネットワーク２０ａにおいて現在アクティブであると決定する。この状態では、ターゲットネットワークは、アンカーネットワークにターゲットページを送信する。このターゲットページは、ページ通知を含むだけでなく、好都合にも、ターゲットネットワークに関するネットワーク情報及びサービス利用性情報も含む。他の情報の中でも、ネットワーク情報は、例えば、ターゲットネットワークに対する周波数情報、ターゲットネットワークに対するオーバーヘッド情報及び／又はトラフィックチャンネル指定を含む。次いで、アンカーネットワークは、ターゲットネットワークがＭＮとの通信を希望することをＭＮにアラートするためにＭＮへ配送するデータバーストメッセージ（ＤＢＭ）を構成する。ＭＮは、ターゲットネットワークからのページングメッセージを監視しなくてもよいが、ＭＮは、ＤＢＭを受け取ってそれに応答し、これにより、ＭＮがページングメッセージの監視を停止した後でも、ＭＮがターゲットネットワークからのページ通知に対してアラートされるのを許す。
【００３９】
ＤＢＭは、一般に、ＤＢＭ及びそこに含まれた情報が別のネットワークからのページ通知を構成することをＭＮに忠告するために所定のフィールドに規定のコードを含む。異なるフィールドに種々のコードを使用できるが、一実施形態のＤＢＭは、別のネットワークがページ通知を発行したことをＭＮ１０にアラートするためにアンカーネットワーク２０ａがバースト形式フィールドを０００１１１にセットするように構成される。バースト形式フィールドに規定のコードを含ませるのに加えて、ターゲットネットワーク２０ｂにより与えられる他の情報、例えば、ネットワーク情報及びサービス利用性情報も、ＤＢＭにカプセル化し、含ませることができる。アンカーネットワークは、ＭＮがアイドル状態又はトラフィック状態のいずれかにある間にＤＢＭをＭＮへ送信することができる。アイドル状態にある場合には、アンカーネットワークが、通常、ＭＮに指定されたスロットにおいて、又はその指定のスロットに続くスロットにおいて、ＤＢＭを送信する。或いは又、トラフィック状態にある場合には、アンカーネットワークが、従来のやり方でＤＢＭをＭＮへ単に送信する。
【００４０】
所定のフィールドに規定のコードを伴い、例えば、０００１１１にセットされたバースト形式フィールドを伴いＤＢＭを受け取ると、ＭＮ１０は、アンカーネットワーク２０ａからターゲットネットワーク２０ｂへの切り換えを希望するかどうか決定することができる。この点に関して、ＭＮがアイドル状態にある場合には、ＭＮは、通常、考えられる最も早い機会にターゲットネットワークへ自動的に切り換えることができる。或いは又、ＭＮがトラフィック状態にある場合には、ＭＮは、実際上最も早い機会にアンカーネットワークからターゲットネットワークへ自動的に切り換るように構成される。しかしながら、通常、トラフィック状態にあるＭＮは、アンカーネットワークがＭＮとの通信を希望することをユーザに忠告するＭＮのディスプレイに存在するアイコンを経て、ユーザの許可を最初に懇願するように構成される。ターゲットネットワークは、種々のサービス及び他のネットワーク情報をページ通知と共に与えるので、ＭＮは、必ずしも必要ではないが、この付加的な情報の少なくとも幾つかをユーザに提示するか、又はユーザが要求時にこの付加的な情報の幾つかにアクセスするのを少なくとも許し、これにより、ユーザがアンカーネットワークからターゲットネットワークへの切り換えを希望するかどうかについてユーザがより見聞の広い判断を行うのを許すことができる。例えば、ユーザは、別のネットワークがＭＮとの通信を希望するという通知を受け取った際に友人との音声コールに参加することができる。この通知に関連した付加的な情報を再検討したときに、ユーザは、ユーザが見たい新たな映画がここでダウンロードできることを付加的な情報が指示する場合には、音声コールを終了して他のネットワークへ切り換えるように選択することができる。或いは又、ユーザは、他のネットワークがＭＮへの広告のダウンロードを単に希望するだけであることを付加的な情報が指示する場合には、音声コールを続けて他のネットワークへの切り換えを遅延することを選択できる。
【００４１】
ユーザがターゲットネットワークへの切り換えを希望しない場合、又はＭＮ１０がターゲットネットワークへ切り換えできない場合には、ＭＮは、移動局拒絶オーダーのような規定の信号をアンカーネットワーク２０ａへ送信し、このアンカーネットワークは、次いで、ターゲットネットワーク２０ｂに忠告する。しかしながら、ＭＮがアイドル状態にある結果として、又はトラフィック状態にあるＭＮのユーザから許可を受ける結果として、ＭＮが自動的にターゲットネットワークへ切り換るべき場合には、ＭＮがターゲットネットワークに接続要求を発行する。ＭＮがアンカーネットワークと共にトラフィック状態にあった場合には、ＭＮは、接続要求を発行する前に、通常、第１の実際的な機会において、現在トラフィックチャンネル指定を最初に終了しなければならない。ターゲットネットワークへの遷移を更に加速するために、ＭＮは、ＤＢＭに応答して一般的に発行されるページ又は移動局確認オーダー（ＭＳ  Ａｃｋ）に応答して通常発行されるページ応答のような典型的な応答に先行することができる。当業者に明らかなように、ＭＮによる接続要求の構造は、ターゲットネットワークにより以前に与えられたネットワーク情報及びサービス利用性情報により容易にされる。例えば、ネットワーク情報は、ＭＮがターゲットネットワークからのサービスを期待できるところの周波数を決定する上でＭＮの助けとなるターゲットネットワークに関する周波数情報を含み、これにより、ＭＮは、キャリアにより与えられる周波数リストに基づいてターゲットネットワークからのサービスをサーチしなくてよくなる。別の例として、ネットワーク情報は、ターゲットネットワークに関するオーバーヘッド情報も含む。ＭＮは、接続要求を送信する前にターゲットネットワークから最新のオーバーヘッド情報を得ることが要求されるので、ＭＮは、ターゲットネットワークによるオーバーヘッド情報の周期的な送信を待機する必要はなく、ＭＮがＤＢＭにおいてオーバーヘッド情報を既に受信しているので、ターゲットネットワークを取得した直後に接続要求を発行することができる。最終的に、ネットワーク情報は、ターゲットネットワークにおけるトラフィックの指定を含むことができ、これは、ＭＮが、接続要求を送信しなくてもターゲットネットワークにおける特定のトラフィックチャンネルへ直接的に切り換るのを許す。
【００４２】
接続要求を受け取ると、ターゲットネットワーク２０ｂ及びＭＮ１０は、従来のトラフィック及びサービス設定手順を遂行することができる。その後、ＭＮは、例えば、ＭＭＳメッセージ又は他のデータのみのサービスを交換するために、ターゲットネットワークを経てターゲットＰＤＳＮと通信する。
【００４３】
本発明の実施形態のクロスページング技術を使用する結果として、ターゲットネットワーク２０ｂは、たとえＭＮが他のネットワークからのページングメッセージの監視を止めたとしても、アンカーネットワーク２０ａからターゲットネットワークへの切り換えを開始するためにＭＮ１０にページ通知を与えることができる。更に、ネットワーク情報及び／又はトラフィックチャンネル指定をページ通知と共に与えることにより、ＭＮは、より迅速に且つ効率的にターゲットネットワークに接続することができる。更に、サービス利用性情報をページ通知と共に与えることにより、アンカーネットワークとトラフィック状態にあるＭＮのユーザは、ユーザがターゲットネットワークへの切り換えを希望するかどうかについてより教育的な判断を行うことができる。又、本発明の実施形態のクロスページング技術は、ＭＮがアイドル状態にあるかトラフィック状態にあるかについてターゲットネットワーク及びアンカーネットワークがターゲットネットワークからのページ通知を同様にＭＮに忠告するようにし、これにより、ネットワーク側のシグナリング手順を簡単化する。
【００４４】
背景技術について述べたように、ｃｄｍａ２０００  １Ｘネットワークは、ＭＮのバッテリの寿命を保存するためにＭＮ１０がアイドル状態にある間にスロット型モードの動作を使用する。又、上述したように、ｃｄｍａ２０００  １Ｘネットワークは、各スロットに指定されたＭＮに対してページ／メッセージがないことを指示するためにＣＬＡＳＳ＿０＿ＤＯＮＥフィールドが“１”にセットされたＧＰＭを使用して、ＭＮが直ちに即ちスロットの終了前にスリープ状態に入り、バッテリ電力を更に節約できるようにする。ターゲットネットワーク２０ｂがＭＮとの通信を希望することを指示するＤＢＭをＭＮが受信するよう確保するために、ＤＢＭは、ＣＬＡＳＳ＿０＿ＤＯＮＥフィールドが１にセットされたＧＰＭの前に送信されねばならない。図７に示すように、ＭＮ０、ＭＮ３、ＭＮ４及びＭＮ８は、全て、同じスロットに指定される。ＧＰＭを送信する前に、ターゲットネットワークがＭＮ４との通信を希望することを指示するＤＢＭが上述したように送信される。ＤＢＭの受信に続いて、ＭＮ４は、ターゲットネットワークに切り換るが、ＭＮ０、ＭＮ３及びＭＮ８は、スロットの監視を続ける。次いで、ＣＬＡＳＳ＿０＿ＤＯＮＥフィールドが１にセットされたＧＰＭが送信され、ＭＮ０、ＭＮ３及びＭＮ８がスリープ状態に入ることができる。明らかなように、ＣＬＡＳＳ＿０＿ＤＯＮＥフィールドが１にセットされたＧＰＭを受け取るまで全てのＭＮがスロットを監視する必要性は、不都合にも、ＤＢＭが向けられないＭＮのバッテリ電力を消費する。実際に、幾つかのＭＮは、音声及びデータネットワークのみで通信し、データのみのネットワークでは通信できない非ハイブリッドＭＮである。それでも、データのみのネットワークで通信できない非ハイブリッドＭＮを含む全てのＭＮは、たとえＤＢＭがこのシナリオにおいて非ハイブリッドＭＮに無関係であっても、ＤＢＭを受信するために電源オン状態に保たれる。
【００４５】
したがって、本発明の一実施形態は、ＧＰＭにおけるＲＥＳＥＲＶＥＤフィールドのような規定のフィールドを使用し、特に、非ハイブリッドＭＮに対してバッテリ電力を更に節約するために、ＭＮをスリープ状態に戻すプロセスを変更する。例えば、ＭＮ０、ＭＮ３、ＭＮ４及びＭＮ８がここでも同じスロットに指定される図８に示すように、ＭＮ０及びＭＮ８が非ハイブリッドＭＮであり、ＭＮ３及びＭＮ４がハイブリッドＭＮであるような状態を考える。ＣＬＡＳＳ＿０＿ＤＯＮＥフィールドが１にセットされたＧＰＭは、最初に、アンカーネットワーク２０ａにより送信される。従来のＧＰＭとは対照的に、規定のフィールド、例えば、ＲＥＳＥＲＶＥＤフィールドは、１のような所定値にセットされる。いずれの場合もターゲットネットワークにアクセスできない非ハイブリッドＭＮは、ＲＥＳＥＲＶＥＤフィールドを検査せず、むしろ、ページングチャンネルの監視を停止して、スリープ状態に戻る。ハイブリッドＭＮは、規定のフィールドを更なるインストラクションに対して再検討する。規定のフィールドが所定値にセットされ、例えば、ＲＥＳＥＲＶＥＤフィールドが１にセットされた場合には、ハイブリッドＭＮがＤＢＭに対してページングチャンネルを監視し続ける。或いは又、規定のフィールドが所定値にセットされず、例えば、ＲＥＳＥＲＶＥＤフィールドが０にセットされた場合には、ハイブリッドＭＮがページングチャンネルの監視を止め、スリープ状態に戻ることができる。
【００４６】
規定のフィールドが所定値にセットされた場合には、アンカーネットワーク２０ａは、上述したように、ＤＢＭを次に送信することができる。図８に示すように、ＤＢＭは、ターゲットネットワーク２０ｂがＭＮ４との通信を希望することを指示する。ＤＢＭに続いて、ＭＮ４は、上述したように、ターゲットネットワークへ切り換ることができ、一方、ＭＮ３は、ページングチャンネルの監視を続ける。ＣＬＡＳＳ＿０＿ＤＯＮＥフィールドが１にセットされ、且つ規定のフィールドが所定値以外の値にセットされ、例えば、ＲＥＳＥＲＶＥＤフィールドが０にセットされた従来のＧＰＭを送信することができる。このＧＰＭは、別のネットワークにまだ切り換えられていない全てのハイブリッドＭＮにより受け取られ、これら他のハイブリッドＭＮ（この例ではＭＮ３）もページングチャンネルの監視を止めて、スリープ状態に戻ることができる。ＤＢＭを待機せずに全ての非ハイブリッドＭＮがスリープ状態に戻るのを許すことにより、別のネットワークが通信の確立を希望する場合に１つ以上のハイブリッドＭＮに通知することを依然許しながら、非ハイブリッドＭＮのバッテリ電力がこの実施形態により更に節約される。
【００４７】
本発明の１つの態様によれば、本発明のシステムの全部又は一部分、例えば、ＭＮ１０、アンカーＦＡ２０ａ及びターゲットＦＡ２０ｂの全部又は一部分は、一般に、コンピュータプログラム製品の制御のもとで動作する。本発明の実施形態の方法を遂行するためのコンピュータプログラム製品は、不揮発性記憶媒体のようなコンピュータ読み取り可能な記憶媒体、及びこのコンピュータ読み取り可能な記憶媒体に実施される一連のコンピュータインストラクションのようなコンピュータ読み取り可能なプログラムコード部分を備えている。
【００４８】
この点に関して、図９は、本発明による方法、システム、及びコンピュータプログラム製品のブロック図である。制御フローチャートの各ブロック又はステップ、及びこの制御フローチャートにおけるブロックの組み合せは、コンピュータプログラムインストラクションにより実施できることを理解されたい。これらのコンピュータプログラムインストラクションは、コンピュータ又は他のプログラム可能な装置にロードされてマシンを形成し、コンピュータ又は他のプログラム可能な装置で実行されるインストラクションは、制御フローチャートのブロック又はステップで指定された機能を実施するための手段を生成する。又、これらのコンピュータプログラムインストラクションは、特定の仕方で機能するようにコンピュータ又は他のプログラム可能な装置に命令できるコンピュータ読み取り可能なメモリに記憶することができ、このコンピュータ読み取り可能なメモリに記憶されたインストラクションは、制御フローチャートのブロック又はステップで指定された機能を実施するインストラクション手段を含む製造物品を形成する。又、コンピュータプログラムインストラクションは、コンピュータ又は他のプログラム可能な装置にもロードされ、このコンピュータ又は他のプログラム可能な装置で一連の動作ステップを実行させて、コンピュータ実施プロセスを形成し、コンピュータ又は他のプログラム可能な装置で実行されるインストラクションが、制御フローチャートのブロック又はステップで指定された機能を実施するためのステップを与えるようにする。
【００４９】
したがって、ブロック図のブロック又はステップは、指定の機能を遂行するための手段の組み合せ、指定の機能を遂行するためのステップの組み合せ、及び指定の機能を遂行するためのプログラムインストラクション手段をサポートする。又、制御フローチャートの各ブロック又はステップ、及びこの制御フローチャートにおけるブロックの組み合せは、指定の機能又はステップを遂行する特殊目的のハードウェアベースのコンピュータシステム、又は特殊目的のハードウェア及びコンピュータインストラクションの組み合せにより実施できることも理解されたい。
【００５０】
この点に関して、スロットを監視する少なくとも１つのハイブリッド移動端末及び少なくとも１つの非ハイブリッド移動端末と通信できる通信ネットワークでは、少なくとも１つのハイブリッド移動端末の選択された１つをクロスページングするための方法は、オペレーション１００において、ターゲットネットワークからページ指示を受け取ることを含む。このページ指示は、ターゲットネットワークが、少なくとも１つのハイブリッド移動端末の選択された１つとの通信を希望することを指示する。オペレーション１１０において、一連のメッセージの第１メッセージが少なくとも１つのハイブリッド移動端末及び少なくとも１つの非ハイブリッド移動端末へ送信される。この第１メッセージは、この第１メッセージの規定のフィールドが所定値にセットされた場合にスロットの監視を止めるように少なくとも１つの非ハイブリッド移動端末に命令する。オペレーション１２０において、一連のメッセージの第２メッセージが少なくとも１つのハイブリッド移動端末及び少なくとも１つの非ハイブリッド移動端末へ送信される。この第２メッセージは、少なくとも１つのハイブリッド移動端末の選択された１つに対するページ指示を表わすデータバーストメッセージを含む。オペレーション１３０において、一連のメッセージの第３メッセージが送信される。この第３メッセージは、少なくとも１つのハイブリッド移動端末の残りの端末に、スロットの監視を止めるように命令する。
【００５１】
前記説明及び添付図面に表わされた教示から利益を得る本発明に係る技術の当業者には、本発明の多数の変更や他の実施形態が明らかであろう。それ故、本発明は、ここに開示した特定の実施形態に限定されず、特許請求の範囲内には変更や他の実施形態が包含されることを理解されたい。ここでは、特定の用語を使用したが、それらは、一般的且つ説明的な意味で使用されたもので、限定のためのものではない。
【図面の簡単な説明】
【００５２】
【図１】従来のｃｄｍａ２０００システムにより与えられるスロット型モードオペレーションの概略図である。
【図２】スロットの監視を実際上早く停止するように従来の仕方でＧＰＭを使用するところを示す概略図である。
【図３】本発明の実施形態から利益が得られる移動ノード及びシステムの一形式を示すブロック図である。
【図４】本発明の実施形態により移動ノード、ホームエージェント、外部エージェント、及び／又は対応ノードとして動作することのできるエンティティの概略ブロック図である。
【図５】本発明の一実施形態による移動ノードの概略ブロック図である。
【図６】本発明の一実施形態により移動端末をクロスページングする方法を遂行する種々のエンティティ間の通信を示す制御フローチャートである。
【図７】本発明の一実施形態によりスロットにおいて送信されるＤＢＭを示す概略図である。
【図８】本発明の別の実施形態によりスロットにおいて送信される変形ＧＰＭ及びＤＢＭを示す概略図である。
【図９】本発明の例示的実施形態によりデータバーストメッセージを経て移動端末をクロスページングする方法を例示するブロック図である。
【図１】
2008532352.tif 000003
【図２】
2008532352.tif 000004
【図３】
2008532352.tif 000005
【図４】
2008532352.tif 000006
【図５】
2008532352.tif 000007
【図６】
2008532352.tif 000008
【図７】
2008532352.tif 000009
【図８】
2008532352.tif 000010
【図９】
2008532352.tif 000011
【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
或るスロットにおいて少なくとも１つのハイブリッド移動端末及び少なくとも１つの非ハイブリッド移動端末と通信することが可能なエージェントを具備するネットワークであって、
前記エージェントは、ターゲットネットワークが選択されたハイブリッド移動端末との通信を希望していることを示すページ指示を、該ターゲットネットワークから受信することが可能であり、
前記エージェントは、さらに、前記少なくとも１つのハイブリッド移動端末及び前記少なくとも１つの非ハイブリッド移動端末に対して一連のメッセージを発行することが可能であり、
前記一連のメッセージが、
第１のメッセージであって、該第１のメッセージの予め規定されたフィールドが所定の値に設定されている場合に、前記少なくとも１つの非ハイブリッド移動端末に対して前記或るスロットの監視を中止するよう指示するための第１のメッセージと、
前記選択されたハイブリッド移動端末に対して前記ページ指示を示すデータバーストメッセージを含む第２のメッセージと、
を含む、
ことを特徴とするネットワーク。
【請求項２】
前記一連のメッセージが、さらに、前記ハイブリッド移動端末のうちの残りの移動端末に対して前記或るスロットの監視を中止するよう指示するための第３のメッセージを含む、請求項１に記載のネットワーク。
【請求項３】
前記データバーストメッセージが前記ページ指示を示す予め規定されたコードを含む、請求項１に記載のネットワーク。
【請求項４】
前記選択されたハイブリッド移動端末が、前記データバーストメッセージに応答して当該ネットワークから前記ターゲットネットワークに切り替えることが可能である、請求項１に記載のネットワーク。
【請求項５】
前記エージェントが、さらに前記ターゲットネットワークからネットワーク及びサービス利用性情報を受信することが可能である、請求項１に記載のネットワーク。
【請求項６】
前記少なくとも１つのハイブリッド移動端末は、前記一連のメッセージにおける前記第１のメッセージの前記予め規定されたフィールドが前記所定の値以外の値に設定されている場合に前記或るスロットの監視を中止する、請求項１に記載のネットワーク。
【請求項７】
或るアンカーネットワークから一連のメッセージを受信することが可能なコントローラを具備する装置であって、
前記一連のメッセージが、
第１のメッセージであって、該第１のメッセージの予め規定されたフィールドが所定の値に設定されている場合に、前記アンカーネットワークと通信している非ハイブリッド移動端末に対して或るスロットの監視を中止するよう指示するための第１のメッセージと、
ターゲットネットワークが前記移動端末との通信を希望していることを示すページ指示を、該移動端末に対して示すデータバーストメッセージを含む第２のメッセージと、
を含む、
ことを特徴とする装置。
【請求項８】
前記データバーストメッセージが前記ページ指示を示す予め規定されたコードを含む、請求項７に記載の装置。
【請求項９】
前記コントローラが、前記データバーストメッセージに応答して前記アンカーネットワークから前記ターゲットネットワークに切り替えることが可能である、請求項７に記載の装置。
【請求項１０】
前記コントローラが、前記一連のメッセージにおける前記第１のメッセージの前記予め規定されたフィールドが前記所定の値以外の値に設定されている場合に前記或るスロットの監視を中止する、請求項７に記載の装置。
【請求項１１】
ターゲットネットワークが選択されたハイブリッド移動端末との通信を希望していることを示すページ指示を、該ターゲットネットワークから受信する段階と、
少なくとも１つのハイブリッド移動端末及び少なくとも１つの非ハイブリッド移動端末に対して一連のメッセージにおける第１のメッセージを送信する段階と、
を含み、
前記第１のメッセージは、該第１のメッセージの予め規定されたフィールドが所定の値に設定されている場合に前記少なくとも１つの非ハイブリッド移動端末に対して或るスロットの監視を中止するよう指示するものであり、
さらに、
前記少なくとも１つのハイブリッド移動端末及び前記少なくとも１つの非ハイブリッド移動端末に対して前記一連のメッセージにおける第２のメッセージを送信する段階と、
を含み、
前記第２のメッセージが、前記選択されたハイブリッド移動端末に対して前記ページ指示を示すデータバーストメッセージを含むものである、
ことを特徴とする方法。
【請求項１２】
前記ハイブリッド移動端末のうちの残りの移動端末に対して前記或るスロットの監視を中止するよう指示する、前記一連のメッセージにおける第３のメッセージを送信する段階をさらに含む、請求項１１に記載の方法。
【請求項１３】
前記ターゲットネットワークからネットワーク及びサービス利用性情報を受信する段階をさらに含む、請求項１１に記載の方法。
【請求項１４】
前記第１のメッセージを送信する段階が、前記一連のメッセージにおける前記第１のメッセージの前記予め規定されたフィールドが前記所定の値以外の値に設定されている場合に前記或るスロットの監視を中止するよう前記少なくとも１つのハイブリッド移動端末に指示する段階をさらに含む、請求項１１に記載の方法。
【請求項１５】
少なくとも１つのコンピュータにより読み取り可能な記録媒体であって、該記録媒体に記憶されたコンピュータにより読み取り可能なプログラムコード部分を有する記録媒体、を具備するコンピュータプログラム製品であって、
前記コンピュータにより読み取り可能なプログラムコード部分が、
ターゲットネットワークが選択されたハイブリッド移動端末との通信を希望していることを示すページ指示を、該ターゲットネットワークから受信する、第１の実行可能な部分と、
一連のメッセージにおける第１のメッセージを少なくとも１つのハイブリッド端末及び少なくとも１つの非ハイブリッド移動端末に対して送信する、第２の実行可能な部分と、
を具備し、
前記第１のメッセージが、該第１のメッセージの予め規定されたフィールドが所定の値に設定されている場合に前記少なくとも１つの非ハイブリッド移動端末に対して或るスロットの監視を中止するよう指示するものであり、
前記コンピュータにより読み取り可能なプログラムコード部分が、さらに、
前記一連のメッセージにおける第２のメッセージを前記少なくとも１つのハイブリッド移動端末及び前記少なくとも１つの非ハイブリッド移動端末に対して送信する、第３の実行可能な部分と、
を具備し、
前記第２のメッセージが、前記選択されたハイブリッド移動端末に前記ページ指示を示すデータバーストメッセージを含むものである、
ことを特徴とする、コンピュータプログラム製品。
【請求項１６】
前記ハイブリッド移動端末のうちの残りの移動端末に対して前記或るスロットの監視を中止するよう指示する前記一連のメッセージにおける第３のメッセージを送信する、第４の実行可能な部分をさらに具備する、請求項１５に記載のコンピュータプログラム製品。
【請求項１７】
前記ターゲットネットワークからネットワーク及びサービス利用性情報を受信する、第５の実行可能な部分をさらに具備する、請求項１５に記載のコンピュータプログラム製品。
【請求項１８】
前記第２の実行可能な部分は、前記一連のメッセージにおける前記第１のメッセージの前記予め規定されたフィールドが前記所定の値以外の値に設定されている場合に前記少なくとも１つのハイブリッド移動端末に対して前記或るスロットの監視を中止するよう指示する命令をさらに含む、請求項１５に記載のコンピュータプログラム製品。
【請求項１９】
或るスロットにおいて少なくとも１つのハイブリッド移動端末及び少なくとも１つの非ハイブリッド移動端末と通信することが可能なアンカーネットワークと、
選択されたハイブリッド移動端末との通信を希望していることを示すページ指示を、前記アンカーネットワークに対して発行するターゲットネットワークと、
を具備し、
前記アンカーネットワークが、前記少なくとも１つのハイブリッド移動端末及び前記少なくとも１つの非ハイブリッド移動端末に対して一連のメッセージを発行し、
該一連のメッセージが、
第１のメッセージであって、該第１のメッセージの予め規定されたフィールドが所定の値に設定されている場合に、前記少なくとも１つの非ハイブリッド移動端末に対して前記或るスロットの監視を中止するよう指示する第１のメッセージと、
前記選択されたハイブリッド移動端末に対して前記ページ指示を示すデータバーストメッセージを含む第２のメッセージと、
を含む、
ことを特徴とするシステム。
【請求項２０】
前記一連のメッセージが、さらに前記少なくとも１つのハイブリッド移動端末のうちの残りの移動端末に対して前記或るスロットの監視を中止するよう指示する第３のメッセージを含む、請求項１に記載のシステム。
【請求項２１】
前記少なくとも１つのハイブリッド移動端末は、前記一連のメッセージにおける前記第１のメッセージの前記予め規定されたフィールドが前記所定の値以外の値に設定されている場合に前記或るスロットの監視を中止する、請求項１に記載のシステム。
【請求項２２】
ターゲットネットワークが選択されたハイブリッド移動端末との通信を希望していることを示すページ指示を前記ターゲットネットワークから受信する手段と、
前記少なくとも１つのハイブリッド移動端末及び前記少なくとも１つの非ハイブリッド移動端末に対して一連のメッセージを発行する手段と、
を具備し、
該一連のメッセージが、
第１のメッセージであって、該第１のメッセージの予め規定されたフィールドが所定の値に設定されている場合に、前記少なくとも１つの非ハイブリッド移動端末に対して或るスロットの監視を中止するよう指示する第１のメッセージと、
前記選択されたハイブリッド移動端末のうちの残りの移動端末に対して前記ページ指示を示すデータバーストメッセージを含む第２のメッセージと、
を含む、
ことを特徴とする装置。
【請求項２３】
前記ハイブリッド移動端末のうちの残りの移動端末に対して或るスロットの監視を中止するよう指示する第３のメッセージを発行する手段をさらに具備する、請求項２２に記載の装置。
【請求項２４】
前記データバーストメッセージが前記ページ指示を示す予め規定されたコードを含む、請求項２２に記載の装置。
【請求項２５】
前記少なくとも１つのハイブリッド移動端末が、前記一連のメッセージにおける前記第１のメッセージの前記予め規定されたフィールドが前記所定の値以外の値に設定されている場合に、前記或るスロットの監視を中止する、請求項２２に記載の装置。
【請求項２６】
或るスロットにおける少なくとも１つのハイブリッド移動端末との通信を進めるプロセッサを具備する装置であって、
ターゲットネットワークが選択されたハイブリッド移動端末との通信を希望していることを示すページ指示を該ターゲットネットワークから受信するように構成されており、
さらに、前記選択されたハイブリッド移動端末に対して前記ページ指示を示す予め規定されたコードを有するデータバーストメッセージを発行するよう構成されている、
ことを特徴とする装置。
【請求項２７】
前記データバーストメッセージが一般的なページメッセージの前に連続して発行される、請求項２６に記載の装置。
【請求項２８】
前記データバーストメッセージが一般的なページメッセージに続いて連続して発行される、請求項２６に記載の装置。
【請求項２９】
所定の値を有する前記一般的なページメッセージの予め規定されたフィールドに応答して、前記少なくとも１つのハイブリッド移動端末が、この後の前記データバーストメッセージの送信のために、前記或るスロットを監視するよう指示される、請求項２８に記載の装置。
【請求項３０】
前記少なくとも１つのハイブリッド移動端末は、前記一般的なページメッセージの前記予め規定されたフィールドが前記所定の値以外の値に設定されている場合に前記或るスロットの監視を中止する、請求項２８に記載の装置。
【請求項３１】
コントローラを具備する移動端末であって、
該コントローラが、前記移動端末に対してページ指示を示す予め規定されたコードを有するデータバーストメッセージをアンカーネットワークから受信することが可能であり、
前記ページ指示が、ターゲットネットワークから前記アンカーネットワークによって受信され、前記ターゲットネットワークが前記移動端末との通信を希望していることを示すものである、
ことを特徴とする移動端末。
【請求項３２】
前記データバーストメッセージが一般的なページメッセージの前に連続して発行される、請求項３１に記載の移動端末。
【請求項３３】
前記データバーストメッセージが一般的なページメッセージに続いて連続して発行される、請求項３１に記載の移動端末。
【請求項３４】
所定の値を有する前記一般的なページメッセージの予め規定されたフィールドに応答して、この後の前記データバーストメッセージの送信のために、或るスロットを監視するよう指示される、請求項３３に記載の移動端末。
【請求項３５】
前記一般的なページメッセージの前記予め規定されたフィールドが前記所定の値以外の値に設定されている場合に、或るスロットの監視を中止する、請求項３３に記載の移動端末。
【国際調査報告】
2008532352.tif 000012
2008532352.tif 000013
2008532352.tif 000014
2008532352.tif 000015